(57)【特許請求の範囲】
【請求項１】
内周面にめねじが形成されたナット部材を一対摩擦圧接によって接合し該接合部の内周面に該摩擦圧接により溶融した部分がはみ出すように形成するとともに、
鉄筋本体の先端に摩擦圧接によって、外周に雄ねじが形成された螺子部を接合し、これら、雄ねじが形成された鉄筋を上記ナット部材の両側から挿入して螺合させたことを特徴とする鉄筋の継ぎ手構造。
【請求項２】
前記雄ねじの、ナット部材側への挿入部分に、他の部分に比べて挿入可能な限度で有効径が大きい拡径部を形成したことを特徴とする請求項１記載の鉄筋の継ぎ手構造。
【請求項３】
前記雄ねじ及びめねじが、丸ねじであることを特徴とする請求項１又は２記載の鉄筋の継ぎ手構造。
【請求項４】
前記ナット部材の両側から螺着される雄ねじが共に右ねじあるいは左ねじであり、それに対応して、ナット部材を構成する両側のめねじも共に右ねじあるいは左ねじであることを特徴とする請求項１〜３のいずれか１の項に記載の鉄筋の継ぎ手構造。
【発明の詳細な説明】
【０００１】
【発明の属する技術分野】
本発明は、コンクリート構造物あるいは基礎等に配筋される鉄筋の継ぎ手構造に関し、特に安価に供給することができるロック機能付きの鉄筋の継ぎ手構造に関する。
【０００２】
【従来の技術および発明が解決しようとする課題】
従来、鉄筋コンクリート等の構造物に配筋される鉄筋の継ぎ手構造は、中央から左ねじと右ねじに螺設されたナット部材に、一方は先端に右ねじが螺設された接続しようとする鉄筋を螺合させ、他方は先端に左ねじが螺設された接続しようとする鉄筋を螺合させ、それぞれナット部材に対してダブルナット式にロックナットを配して、継ぎ手部分で弛むことが無いように締結されていた。あるいは、上記ねじの向きに関しては、右ねじ同士あるいは左ねじ同士の場合もあった。
【０００３】
しかし、いずれにしても、上記構成の場合、長さ的に長い鉄筋に雄ねじを螺設することから、価格的に高価になり、また、ナット部材についても、該ナット部材の一端から右ねじを他端から左ねじを螺設することから、加工が複雑になり、価格的に高価になる。
【０００４】
従って、これら継ぎ手構造を非常に多く必要とするビル、ダムあるいは道路の橋脚等の鉄筋コンクリート工事の配筋部分のコストはかなりの高額になっていた。
【０００５】
本発明は、このような現況に鑑みておこなわれたもので、価格的に安価に且つ信頼性の高い鉄筋の継ぎ手構造を提供することを目的とする。
【０００６】
【課題を解決するための手段】
本発明にかかる鉄筋の継ぎ手構造は、内周面にめねじが形成されたナット部材を一対摩擦圧接によって接合し該接合部の内周面に該摩擦圧接により溶融した部分がはみ出すように形成するとともに、
鉄筋本体の先端に摩擦圧接によって、外周に雄ねじが形成された螺子部を接合し、これら、雄ねじが形成された鉄筋を上記ナット部材の両側から挿入して螺合させたことを特徴とする。
【０００７】
しかして、このように構成された鉄筋の継ぎ手構造によると、めねじ部分に関しては、それぞれ通常のナットを製造する工程によって簡単且つ効率的に製造することができ、また、雄ねじ部分についても、短寸の部材に単に通常のボルトを製造する工程によって簡単に且つ効率的に製造することができる。また、市販の量産品を流用することもできる。そして、これら螺設部分（めねじおよびおねじ部分）を、それぞれ摩擦圧接によって、ナット部材あるいは先端に雄ねじを有する鉄筋を形成することができるため、極めて簡単に且つ安価に製造することができる。しかも、摩擦圧接であることから、接合面全体が溶融し、接合部分において極めて高い信頼性を得ることができる。また、摩擦圧接したナット部材の内周面に溶融した部位がはみ出すようにすると、一方の鉄筋がナット部材の中央より反対側に「はみだす」如く、過度に螺合するような事態を、有効に防止できる構成が簡単に実現できる。
【０００８】
また、上記鉄筋の継ぎ手構造において、雄ねじの、ナット部材側への挿入部分に、他の部分に比べて挿入可能な限度で有効径が大きい拡径部を形成することによって、この部分でトルクが増加して、ロック機能を奏することとなる。従って、この構成にかかる鉄筋の継ぎ手構造では、ロックナットを必要としない。
【０００９】
さらに、上記鉄筋の継ぎ手構造において、雄ねじ及びめねじが、丸ねじであると、ねじの寸法管理が楽になることから、安価に製造でき、また螺合の際、スムーズな螺合が実現できることになる。
【００１０】
また、上記鉄筋の継ぎ手構造において、ナット部材の両側から螺着される雄ねじが共に右ねじあるいは左ねじであり、それに対応して、ナット部材を構成する両側のめねじも共に右ねじあるいは左ねじであると、共に同じものを使用できるため、量産効果によって、より安価に実施できる構成となる。
【００１１】
【発明の実施の形態】
以下、本発明の実施形態（実施例）にかかる鉄筋の継ぎ手構造について、図面を参照しながら具体的に説明する。
【００１２】
図１は本実施例にかかる継ぎ手構造を示す一部断面した全体側面図である。
図において、１はナット部材で、このナット部材１は、内周面に右ねじからなるめねじ１ａが螺設されている物理的に二つの部材を、中央で摩擦圧接することによって接合されている。そして、この実施例の場合、摩擦圧接部分では、溶融した一部が摩擦圧接部分の外周側に一部はみ出している。また、このめねじ１ａは、ねじの形式として、丸ねじが使用されている。そして、上記めねじ１ａは、タップによって製造されるが、他の手法によって製造されてもよい。
一方、図１において、２は先端部（螺子部）２Ａの外周におねじ２ａが螺設された接続しようとする鉄筋である。この先端部２Ａは、基端側の鉄筋本体２Ｂに対して、摩擦圧接によって、一体に接合されている。この雄ねじ２ａは、上記めねじ１ａに螺合する右ねじである。また、ねじの形式としては丸ねじである。そして、この雄ねじ２ａの上記ナット部材１に螺合する部分には、寸法的に僅か（例えば、ねじ径が１３ｍｍ程度のもので、５／１００ｍｍ〜１／１０ｍｍ程度）であるため図では明確に現れていないが、めねじ１ａに対して変形して螺合する程度内において有効径が大きくなった部分２ｂが形成されている。この実施例の場合、上記大きくなった部分２ｂは、ナット部材１側に螺合した状態において、ナット部材１の外端部分に螺合する位置に形成されている。そして、この実施例では、雄ねじ２ａは、転造によって製造される。
【００１３】
しかして、このように構成された本鉄筋の継ぎ手構造によると、物理的に同じ部材を二つ摩擦圧接によって接合して上記ナット部材１が製造され、また、短寸の部材を転造することによって雄ねじ２ａ部分が形成され、その後、鉄筋本体２Ｂ側に摩擦圧接によって一体に接合されることから、小さな装置（タッピング装置、転造装置）によって雄ねじを形成することができるため、安価に製造することができる。
また、接合部分は、摩擦圧接によって接合されることから、通常の電気溶接等によって一体に接合される場合に比べて、接合面全体が溶融し、「接合箇所」において極めて高い強度と信頼性を得ることができる。
【００１４】
また、上記実施例に代えて、図２に図示するように、ナット部材１の長手方向中央部位の、摩擦圧接の際に、外周側にはみ出した部分を、削除することもでき、かかる場合には、外観状綺麗になる。また、ナット部材１の中央の内周面には、意図的に摩擦圧接において溶融してはみ出した部分を形成することによって、一方の鉄筋２がもう一方の鉄筋２の螺合部分まで過度に螺合しないように構成してもよい。
【００１５】
さらに、鉄筋の長さに関して調整機能を具備する別の実施例として、図３に図示するように、ナット部材１を構成する一方の部材１Ａを長くするとともに、この部材１Ａに螺合する雄ねじ２ａをストレートな径（図１の実施例ように有効径を大きくしない）にするとともに、この雄ねじ２ａにロックナット３を螺着しておけば、必要な鉄筋の長さに合致するように、上記ロックナット３を螺着した雄ねじ２ａが先端にある鉄筋を、鉄筋同士を接合するナット部材１に螺着し、その位置でロックナット３で固定すれば良いような構成となる。なお、図１の実施例の如く一方の鉄筋の雄ねじ２ａに関しては、一部に有効径が大きい部分２ｂを形成しておく点では同じである。また、図３の実施例において、図１と同じ構成については同じ参照番号を付す。
【００１６】
【発明の効果】
本発明にかかる鉄筋の継ぎ手構造によれば、価格的に安価に且つ信頼性の高い鉄筋の継ぎ手構造を提供することが可能となる。
【図面の簡単な説明】
【図１】  本発明の実施例に鉄筋の継ぎ手構造の構成を示す一部断面した全体側面図である。
【図２】  図１とは別の実施にかかるナット部分の構成を示す部分側面図である。
【図３】  図１の実施例とは別の実施例にかかる鉄筋の継ぎ手構造の構成を示す一部断面した全体側面図である。
【符号の説明】
１……ナット部材
１ａ……めねじ
２……鉄筋
２Ａ……先端部（螺子部）
２ａ……雄ねじ
２Ｂ……鉄筋本体
【図１】
0003999435.tif 000002
【図２】
0003999435.tif 000003
【図３】
0003999435.tif 000004